(57)【要約】【課題】カードリーダに使用する各ＲＳ−２３２Ｃ、ＬＡＮ、ＭＯＤＥＭ、ＵＳＢ等の通信機能を、情報処理行う基板を変更することなく実現することを目的とする。【解決手段】通信機能の相違する複数の通信基板２１〜２４が共通の取り付け位置を有し、かつ、通信基板２１〜２４と情報処理を行う電気回路基板との信号伝達配列を共有化することによって、通信基板２１〜２４を交換するだけで希望の通信手段を得られるようにしたものであり、これにより、カードリーダ本体ユニットには何ら手を加えることなく、客先の要望に応じた各種の通信機能を備えたカードリーダが得られる。【選択図】図３
2005228063.tif 000002
【特許請求の範囲】
【請求項１】
カード挿入口より挿入されたカードの搬送機構とカード読み取りおよび記録機構と、前記搬送機構の制御と前記カード読み取りおよび記録機構の制御ならびに情報処理を行う少なくとも１個の電気回路基板とをカードリーダ本体ユニットとして筐体の内部に収納したカードリーダにおいて、
通信機能を有する通信基板を前記電気回路基板とは独立して設け、前記通信基板の端部に設けたコネクタが前記筐体の背面に設けた開口部に位置するように配置し、かつ、通信機能の相違する複数の前記通信基板が、共通の取付位置を有するとともに、前記通信基板と前記電気回路基板との信号伝達配列を共通化していることを特徴とするカードリーダ。
【請求項２】
前記通信機能の相違する複数の通信基板は、ＲＳ−２３２Ｃ基板、ＵＳＢ基板、ＬＡＮ基板、ＭＯＤＥＭ基板の少なくとも２つ以上であることを特徴とする請求項１記載のカードリーダ。
【請求項３】
前記ＲＳ−２３２Ｃ基板は、２ポートのＲＳ−２３２Ｃコネクタを備えていることを特徴とする請求項２記載のカードリーダ。
【請求項４】
前記ＵＳＢ基板はＲＳ−２３２ＣコネクタとＵＳＢポートを備えていることを特徴とする請求項２記載のカードリーダ。
【請求項５】
前記ＬＡＮ基板はＲＳ−２３２Ｃコネクタと１０／１００Ｂａｓｅコネクタを備えていることを特徴とする請求項２記載のカードリーダ。
【請求項６】
前記ＭＯＤＥＭ基板はＲＳ−２３２Ｃコネクタとモジュラージャックを備えていることを特徴とする請求項２記載のカードリーダ。
【発明の詳細な説明】
【技術分野】
【０００１】
本発明は、顧客管理やポイントサービス、診察券などに用いられ、磁気カード、ＩＣカード、リライトカード、非接触ＩＣカードなどのカード状担体にデータの記録、再生、印字などを行うカードリーダに関する。
【背景技術】
【０００２】
顧客管理やポイントサービス、診察券などに、書き込みおよび消去可能な感熱式リライトカードが用いられている。このリライトカードは、透明フィルムの上に、樹脂と結晶の混じった記録層を形成したもので、印字温度（例えば１１０〜１２０℃）に加熱して冷やすと記録層内の結晶が不揃いとなって光が乱反射し、文字や図形が白く見えるというものである。さらに、消去温度（例えば７０〜１００℃）に加熱すると、記録層内の結晶の方向が一定になり、透明状態となって文字や図形が消去されるという仕組みである。
【０００３】
カードリーダのタイプとしては、カードリーダ本体に数字キーやファンクションキーおよびディスプレイを備えて、これらのキーを操作することにより、カードに記録すべき情報を入力するスタンドアローン型のカードリーダ（例えば特許文献１参照）と、パソコンやＰＯＳシステムに接続し、コンピュータから必要な情報をカードリーダに受信したり読み取った情報をコンピュータに送信するＰＯＳシステム用のカードリーダがある。
【特許文献１】特開２０００−４８１４２号公報
【発明の開示】
【発明が解決しようとする課題】
【０００４】
いずれのタイプにしても、客先から、カードリーダに通信用インターフェース機能を内蔵させたものを要望されることがある。この通信用インターフェースとしては、カードリーダを使用していないときもデータをシリアル通信で送受信できるＲＳ−２３２Ｃが一般的であり、その場合、通常はカードリーダの背面に外部ポートとして、ＲＳ−２３２Ｃ規格のコネクタを設ける。
【０００５】
しかし、通信機能として、客先からの要望により、標準の常時接続可能なＲＳ−２３２Ｃ規格の他に、データのやりとりを行うときだけ信号を出力する補助のＲＳ−２３２Ｃポートを設けることや、高速通信可能なＬＡＮボードを設けること、電話回線でデータの送受信を行うＭＯＤＥＭを設けること、あるいは、ＲＳ−２３２Ｃポートを有しないノートパソコンに接続できるようにＵＳＢポートを設けることなどの色々な通信機能を設ける必要がある場合が出てくる。
【０００６】
このような各種の通信機能を１つのボードに備え、また４〜５個のポート（コネクタ）をカードリーダに持たせることは、コストが嵩む上に、カードリーダの大型化につながり、小型化の趨勢に反する。
【０００７】
そこで、客先の要望にあった通信機能を備えたボードをカードリーダに内蔵することが好ましい。
【０００８】
一方、カードリーダは、カードを自動吸引してカード内の情報を読み取ったり書き込む機構部と、その機構部の制御や情報の処理を行う電気回路基板を有しており、これらの機構部と電気回路基板が、カードリーダ本体ユニットとして筐体に収納されている。この本体ユニットの電気回路基板に前記各種の通信機能の回路を組み込むことは、回路設計が煩雑化するとともに、複数の電気回路基板を用意しなければならないので得策ではない。
【０００９】
そこで、本体ユニットの電気回路基板とは独立した別のボードに、オプションとして各種の通信機能を搭載することが必要となる。
【００１０】
しかし、通信機能によって回路構成が異なるため、回路を搭載したボードの面積も異なる。
【００１１】
近年では、顧客から、機能は同じで、通信機能だけを２３２ＣからＵＳＢ、２３２ＣからＬＡＮ、２３２ＣからＭＯＤＥＭという要望が出ており、これに対応するためには、共通化を図る必要性があった。
【００１２】
本発明は、カードリーダ本体ユニットには何ら手を加えることなく、客先の要望に応じた各種の通信機能を備えたカードリーダを提供することを目的とする。
【課題を解決するための手段】
【００１３】
本発明のカードリーダにおいては、通信機能を有する通信基板を、カードリーダの基本的な制御および処理を行う電気回路基板とは独立して設け、通信基板の端部に設けたコネクタがカードリーダの筐体の背面に設けた開口部に位置するように配置し、かつ、通信機能の相違する複数の通信基板が、共通の取付位置を有している構成としたもので、これにより、カードリーダ本体ユニットには何ら手を加えることなく、客先の要望に応じた各種の通信機能を備えたカードリーダが得られる。
【発明の効果】
【００１４】
本発明によれば、前記電気回路基板と各通信基板のインターフェイス信号の配列を定めて且つ基板の取り付け位置を共通化することにより、ユーザーの要望に合わせてＲＳ−２３２Ｃ、ＵＳＢ、ＬＡＮ、ＭＯＤＥＭ等の通信機能を持ったカードリーダを提供できる。
【発明を実施するための最良の形態】
【００１５】
本発明の請求項１の発明は、カード挿入口より挿入されたカードの搬送機構とカード読み取りおよび記録機構と、前記搬送機構の制御と前記カード読み取りおよび記録機構の制御ならびに情報処理を行う少なくとも１個の電気回路基板とをカードリーダ本体ユニットとして筐体の内部に収納したカードリーダにおいて、通信機能を有する通信基板を前記電気回路基板とは独立して設け、前記通信基板の端部に設けたコネクタが前記筐体の背面に設けた開口部に位置するように配置し、かつ、通信機能の相違する複数の前記通信基板が、共通の取付位置を有しかつ、前記通信基板と前記電気回路基板との信号伝達配列を共通化していることをを特徴とするカードリーダとしたものであり、同じカードリーダ本体ユニットおよび筐体を用いて、複数の通信機能に対応したカードリーダを製造することができるという作用を有する。
【００１６】
本発明の請求項２の発明は、前記通信機能の相違する複数の通信基板は、ＲＳ−２３２Ｃ基板、ＵＳＢ基板、ＬＡＮ基板、ＭＯＤＥＭ基板の少なくとも２つ以上である請求項１の発明のカードリーダとしたものであり、これらの通信基板のうちユーザの所望する機能を備えたカードリーダを提供することができるという作用を有する。
【００１７】
本発明の請求項３の発明は、前記ＲＳ−２３２Ｃ基板は、２ポートのＲＳ−２３２Ｃコネクタを備えていることを特徴とするもので、ＲＳ−２３２Ｃ低速モードの通信を行うことができるという作用を有する。
【００１８】
本発明の請求項４の発明は、前記ＵＳＢ基板はＲＳ−２３２ＣコネクタとＵＳＢポートを備えていることを特徴とするものであり、ノートパソコン等でＵＳＢ端子しか無い機種
の通信に使用することができるという作用を有する。
【００１９】
本発明の請求項５の発明は、前記ＬＡＮ基板はＲＳ−２３２Ｃコネクタと１０／１００Ｂａｓｅコネクタを備えていることを特徴とするもので、高速通信１０／１００Ｂａｓｅの通信モードでＰＣ接続、及びハブを使ったネットワーク接続に使用することができるという作用を有する。
【００２０】
本発明の請求項６の発明は、前記ＭＯＤＥＭ基板はＲＳ−２３２Ｃコネクタとモジュラージャックを備えていることを特徴とするもので、カードリーダから電話回線を用いてホスト装置にデータの吸い上げを行うことができるという作用を有する。
【００２１】
以下、本発明の実施の形態について、図１から図５を用いて説明する。
【００２２】
図１（ａ）は本発明の実施の形態に係るカードリーダの装置外観平面図、図１（ｂ）は本発明の実施の形態に係るカードリーダの装置外観側面図である。なお、装置の外観図の中でキーボード及び表示装置は、あるものとないものの双方が実現可能であるため、キーボード及び表示装置は、あるものを例として示す。図２は、基板取り付け時の各基板の取り付いた状態を示す縦断側面図である。図３は、カードリーダの通信基板を載せる下キャビネットと、接続される各通信基板とを示すもので、（ａ）は図２のＡ−Ａ矢視図、（ｂ）はＬＡＮ基板の平面図、（ｃ）はＭＯＤＥＭ基板の平面図、（ｄ）はＲＳ−２３２Ｃ基板の平面図、（ｅ）はＵＳＢ基板の平面図を示す。
【００２３】
図１において、この実施の形態のカードリーダは、上部筐体１と下部筐体２から構成されており、後方のヒンジ部３により開閉自在となっている。前方には、カード挿入口４が設けられている。上部筐体１の上面には、キーボード５と液晶表示器６が設けられており、前方側部には上部筐体１と下部筐体２を閉じた状態でロックしているロック用爪１２を解除するロック解除スライダ７が設けられている。ここで、キーボード５は、図１に示すように数字キーと機能切換キー５０ａ，機能チェックキー５０ｂ，内容確認キー５０ｃ，実行キー５０ｄ，削除・排出キー５０ｅのキーボタンで構成される。
【００２４】
上部カバーを取り除いた状態を示す図２において、下部筐体２の上部には、カードリーダ本体ユニット８が設置されている。このカードリーダ本体ユニット８は、下部ユニット９と上部ユニット１０で構成され、後部のヒンジ部１１により開閉可能であり、ロック用爪１２により閉じた状態を保持されている。下部ユニット９と上部ユニット１０の間に、カード搬送機構とカード読み取りおよび記録機構が設けられている。また、カードリーダ本体ユニット８の上部には、カード搬送機構およびカード読み取りおよび記録機構あるいは液晶表示器６を駆動制御する電気回路基板１３が取り付けられている。
【００２５】
下部筐体２の底部には、電源ユニット１４が設置されている。
【００２６】
下部筐体２の後部には、コネクタ挿入用開口部が形成されており、その開口部から通信基板２１〜２４の後端部に設けられたコネクタが露出するようになっている。
【００２７】
通信基板２１〜２４は、下部筐体２の中段に設けられた下キャビネット１５の上にネジ１６により取り付けられ、各通信基板２１〜２４には、同じ位置にネジ穴２１ｃ〜２４ｃが設けられている。
【００２８】
ＬＡＮ基板２１はＲＳ−２３２Ｃコネクタ２１ａと１０／１００Ｂａｓｅコネクタ２１ｂを備えており、高速通信１０／１００Ｂａｓｅの通信モードでＰＣ接続、及びハブを使ったネットワーク接続に使用する。
【００２９】
ＭＯＤＥＭ基板２２はＲＳ−２３２Ｃコネクタ２２ａとモジュラージャック２２ｂを備えており、カードリーダから電話回線を用いてホスト装置にデータの吸い上げを行う。
【００３０】
ＲＳ−２３２Ｃ基板２３は、２ポートのＲＳ−２３２Ｃコネクタ２３ａ，２３ｂを備えており、ＲＳ−２３２Ｃ低速モードの通信を行う。
【００３１】
ＵＳＢ基板２４はＲＳ−２３２Ｃコネクタ２４ａとＵＳＢポート２４ｂを備えており、ノートパソコン等でＵＳＢ端子しか無い機種の通信に使用する。
【００３２】
図３からわかるように、ＬＡＮ基板２１とＭＯＤＥＭ基板２２はほぼ同じ大きさであり、ＲＳ−２３２Ｃ基板２３とＵＳＢ基板２４はほぼ同じ大きさである。
【００３３】
なお、以上の説明では、各種通信モードは１ＣＨの説明としたが、ＲＳ−２３２Ｃは１ＣＨ別系統で持つことが可能であるため、２ＣＨ目の通信用としてＲＳ−２３２Ｃを別の機器へ接続して使うことについても同様に実施可能である。
【００３４】
図４は、カードリーダユニットと各通信基板の構成を示すブロック図である。
【００３５】
本実施の形態のカードリーダユニット３０は、回路全体の制御を行うＣＰＵ（中央処理装置）３１と、このＣＰＵ３１とデータのやりとりを行い、動作プログラム等を格納したファームウエアやアプリケーションを備えたフラッシュＲＯＭ３２と、カードリーダ本体ユニット８のカード挿入口４から挿入されたカードの位置を検出するカード位置センサ３３と、カードを搬送する搬送機構を駆動するモータ３４およびモータ駆動回路３５と、カードに記録された情報の読み取りおよび書き込みを行う読み書きヘッド３６および磁気カード読み書き回路３７と、カードの記録面への文字や図形を行う感熱ヘッド３８および感熱ヘッド駆動回路３９と、消去ヘッド４０および消去ヘッド駆動回路４１と、データの一次記録を行うＲＡＭ（Ｒａｎｄｏｍ  Ａｃｃｅｓｓ  Ｍｅｍｏｒｙ）４２と、警報音などを発するブザー４３と、カードリーダユニット内のシステムクロックを発生するクロック回路４４と、各通信基板２１〜２４に情報を出力するＴＴＬ（Ｔｒａｎｓｉｓｔｏｒ  Ｔｒａｎｓｉｓｔｏｒ  Ｌｏｇｉｃ）インターフェース４５およびＲＳ−２３２Ｃインターフェース４６と、ＤＣ２４Ｖの電源４７をＤＣ５Ｖに変換するＤＣ／ＤＣコンバータ４８と、制御基板１３内にＤＣ２４Ｖの供給を行うリレースイッチ４９とを備えている。カードリーダユニット３０は外部のキーボード５および液晶表示器６と接続されている。
【００３６】
図５は、カードリーダユニットと各通信基板のインターフェイス信号の配列を示すテーブルを示す図である。
【００３７】
図５の信号は、１７ピンから１３ピンまではＲＳ−２３２Ｃの信号として割り当て、８ピンから１ピンまでの信号をＬＡＮ，ＭＯＤＥＭ，ＵＳＢ、ＲＳ−２３２Ｃ２ＣＨ用の信号に割り当てる。
【００３８】
図５の信号配列の基板構成にすることによって、基板だけの変更で複数種類の通信機能を持たせることができる。
【産業上の利用可能性】
【００３９】
本発明は、ユーザーの要望に合わせてＲＳ−２３２Ｃ、ＵＳＢ、ＬＡＮ、ＭＯＤＥＭ等の通信機能を持った磁気カードリーダに有用に適用することができる。
【図面の簡単な説明】
【００４０】
【図１】（ａ）本発明の実施の形態に係るカードリーダの装置外観平面図、（ｂ）本発明の実施の形態に係るカードリーダの装置外観側面図
【図２】基板取り付け時の各基板の取り付いた状態を示す縦断側面図
【図３】（ａ）図２のＡ−Ａ矢視図、（ｂ）ＬＡＮ基板の平面図、（ｃ）ＭＯＤＥＭ基板の平面図、（ｄ）ＲＳ−２３２Ｃ基板の平面図、（ｅ）ＵＳＢ基板の平面図
【図４】カードリーダユニットと各通信基板の構成を示すブロック図
【図５】カードリーダユニットと各通信基板のインターフェイス信号の配列を示すテーブルを示す図
【符号の説明】
【００４１】
１    上部筐体
２    下部筐体
３    ヒンジ部
４    カード挿入口
５    キーボード
６    液晶表示器
７    ロック解除スライダ
８    カードリーダ本体ユニット
９    下部ユニット
１０    上部ユニット
１１    ヒンジ部
１２    ロック用爪
１３    電気回路基板
１４    電源ユニット
１５    下キャビネット
１６    ネジ
２１    ＬＡＮ基板
２１ａ    ＲＳ−２３２Ｃコネクタ
２１ｂ    １０／１００Ｂａｓｅコネクタ
２１ｃ    ネジ穴
２２    ＭＯＤＥＭ基板
２２ａ    ＲＳ−２３２Ｃコネクタ
２２ｂ    モジュラージャック
２２ｃ    ネジ穴
２３    ＲＳ−２３２Ｃ基板
２３ａ，２３ｂ    ＲＳ−２３２Ｃコネクタ
２３ｃ    ネジ穴
２４    ＵＳＢ基板
２４ａ    ＲＳ−２３２Ｃコネクタ
２４ｂ    ＵＳＢポート
２４ｃ    ネジ穴
３０    カードリーダユニット
３１    ＣＰＵ（中央処理装置）
３２    フラッシュＲＯＭ
３３    カード位置センサ
３４    モータ
３５    モータ駆動回路
３６    読み書きヘッド
３７    磁気カード読み書き回路
３８    感熱ヘッド
３９    感熱ヘッド駆動回路
４０    消去ヘッド
４１    消去ヘッド駆動回路
４２    ＲＡＭ
４３    ブザー
４４    クロック回路
４５    ＴＴＬインターフェース
４６    ＲＳ−２３２Ｃインターフェース
４７    電源
４８    ＤＣ／ＤＣコンバータ
４９    リレースイッチ
【図１】
2005228063.tif 000003
【図２】
2005228063.tif 000004
【図３】
2005228063.tif 000005
【図４】
2005228063.tif 000006
【図５】
2005228063.tif 000007